(57)【要約】 【課題】  本発明は、ウェブログ運営者が該ウェブログを用いて商品等の販売を行う際に、安全でかつ適切・確実な決済を可能とするインターネットのウェブログにおける商品販売の決済システムの提供を課題とするものである。【解決手段】  ウェブログ運営者に関するデータを決済者が入手する手段と、ウェブログ運営者の取扱商品に関するデータを決済者が入手する手段と、該取扱商品に関するデータに対して決済者が決済ＵＲＬを発行する手段と、該決済ＵＲＬを用いた商品販売のウェブログを訪れた購入者が該決済ＵＲＬを介して決済データを決済者が入手する手段と、購入者による代金の支払い手続きの完了を確認する手段と、購入者による商品の受領を確認する手段とを有し、購入者による支払い手続きの完了と商品の受領を決済者が確認した上でウェブログ運営者に対して商品代金の精算を行う手段を有するインターネットのウェブログにおける商品販売の決済システムである。【選択図】    図２
2011028561.tif 000002
【特許請求の範囲】
【請求項１】
インターネットのウェブログにおける商品販売の決済システムであって、
ウェブログ運営者に関するデータを決済者が入手する手段と、
ウェブログ運営者の取扱商品に関するデータを決済者が入手する手段と、
該取扱商品に関するデータに対して決済者が決済ＵＲＬを発行する手段と、
該決済ＵＲＬを用いた商品販売をウェブログ運営者が行うことにより、該ウェブログを訪れた購入者が該決済ＵＲＬを介して決済データを決済者が入手する手段と、
購入者による代金の支払い手続きの完了を確認する手段と、
購入者による商品の受領を確認する手段とを有し、
購入者による支払い手続きの完了と商品の受領を決済者が確認した上でウェブログ運営者対して商品代金の精算を行う手段を有することを特徴とするインターネットのウェブログにおける商品販売の決済システム。
【請求項２】
購入者による代金の支払い手続きの完了を確認する手段により購入者の支払い手続きを確認した場合に、決済者が商品発送者に対してその旨を連絡する手段を有することを特徴とする請求項１記載のインターネットのウェブログにおける商品販売の決済システム。
【請求項３】
決済者の購入者による代金の支払い手続きの完了の連絡する手段により連絡を受けた後に、該商品発送者が購入者に対して商品の発送を行うことを特徴とする請求項２記載のインターネットのウェブログにおける商品販売の決済システム。
【請求項４】
商品発送者がウェブログ運営者であることを特徴とする請求項２又は３のいずれかに記載のインターネットのウェブログにおける商品販売の決済システム。
【請求項５】
商品発送者がウェブログ運営者を介した該商品のメーカー又は販売者であることを特徴とする請求項２又は３のいずれかに記載のインターネットのウェブログにおける商品販売の決済システム。
【請求項６】
購入者による代金の支払い手続きの完了を確認する手段が、金融機関を介して決済者が確認する手段であることを特徴とする請求項１乃至５のいずれかに記載のインターネットのウェブログにおける商品販売の決済システム。
【請求項７】
購入者による商品の受領を確認する手段が宅配業者による商品の配送の確認により行うものであることを特徴とする請求項１乃至６のいずれかに記載のインターネットのウェブログにおける商品販売の決済システム。
【請求項８】
該決済ＵＲＬを介したページには購入者の決済に関する事項が選択特定可能に明示されているものであって、購入者が自己の決済条件の特定が可能であると共に、該ページから決済者に対して購入者の決済データを送信するものであることを特徴とする請求項１乃至７のいずれかに記載のインターネットのウェブログにおける商品販売の決済システム。
【請求項９】
ウェブログ運営者の取扱商品に関するデータを決済者が入手する手段により入手した取扱商品に関する各種データのうち任意データを決済ＵＲＬを介したページに表示するものであることを特徴とする請求項１乃至８のいずれかに記載のインターネットのウェブログにおける商品販売の決済システム。
【発明の詳細な説明】
【技術分野】
【０００１】
本発明は、インターネットのウェブログにおける商品販売に際しての決済システムに関する。
【背景技術】
【０００２】
現在インターネットを用いた商品販売は盛んにおこなわれているものであり、例えばオンラインショッピングサイトと契約して該サイトに商品の出品を行うことは多用されているものである。
またオークションサイトなどを利用して商品の出品を行うことも多用されているものである。
これらに関しては、該サイト運営者がサイト全体の決済手段として決済するものであった。
例えば特開２００８−１０２９１４号（特許文献１）や特開２００６−１０７１１４号（特許文献２）、特開２００６−１３４２３８号（特許文献３）などに示す決済手段などが種々用いられている。
【０００３】
また通信販売等においては、通信販売に沿った決済システムが用いられているものであり、特開２００９−１４６３７０号（特許文献４）に示す決済手段などが用いられているものである。
これらのようにインターネットを用いた商取引においては、一般的に一定程度高額な加入料金の支払いを行い、オンラインショッピングサイトと契約して該サイトに商品の出品する方法やオークションサイトに出品するなどのすでに構築された専用のサイトなどを利用して商品の取引をすることが多用されている。
これらは決済方法の安全が図られており、少なくとも出品者は該サイトを用いて商品の販売が行えるものである。
【０００４】
従って現在最も多用されているウェブログから商品の販売に関しては、これらの決済システムは用いることができず、一般的な直接の個人間取引等を行うことが必要であった。
更に現在より一歩突っ込んで特開２００８−３３５６６号（特許文献５）に示すようにウェブログにおける商品販売に際しての決済として決済者が決済支援ＵＲＬを発行してこのＵＲＬを用いて決済を行うものとなる。
この方法は決済を別途きっちりと行えることから決済方法が広がり取引の容易化と安全化が図れる点で極めて有用である。
【先行技術文献】
【特許文献】
【０００５】
【特許文献１】特開２００８−１０２９１４号
【特許文献２】特開２００６−１０７１１４号
【特許文献３】特開２００６−１３４２３８号
【特許文献４】特開２００９−１４６３７０号
【特許文献５】特開２００８−３３５６６号
【発明の概要】
【発明が解決しようとする課題】
【０００６】
以上の様に、インターネットを用いた商取引に際しては種々の決済が用いられるものであるが、最も多用されるものがオンラインショッピングサイトやオークションサイトに出品するものであるが、これらは該サイトでの販売等になるものであるばかりでなく一定程度高額の出店・出品費用がかかり、また該当サイト内で他の商品との競合販売となるものである。
これは出品に制約がかかることとなり、個々人により簡単に出品を行うこと、例えば現在多用されているウェブログ等での出品に際しては該サイトなどとの関係上リンクを張る程度のことしかできないものとなり、どうしてもオンラインショッピングサイトやオークションサイトへ出品する手続きが必要となる。
【０００７】
この他、現在ウェブログ上においても商品の販売ができるシステムとして特許文献５に示す構成がある。
かかる構成は決済支援ＵＲＬを決済者が発行して該ＵＲＬを用いて決済することを行うものであり、きわめて有効である。
しかし該システムにおいては募集データ記憶部と応募データ記憶部が必要であり、また決済支援ＵＲＬに対して送金指示を受信したことによってウェブログでの出品者に対して精算するものであり、支払の有無を待たずに決済をするものである。
或いは口座引き落としにより決済するものである。
【０００８】
これらは全て銀行が決済することを前提として自行に口座を有する者を対象として安全な決済を行うことが前提となってしまうものでしかない。
即ち、他行からの振り込みや直接の支払い或いは分割払いなど種々の支払い方法に応じた場合には単なる送金指示即ち支払の送金の入力をもって、いまだ入金を確認せずに決済してしまうものとなり、支払いをしない場合や金額不足など各種場合にはきわめて不適切な決済となりかねない。
従って、銀行などにおいての決済では可能であるが、銀行以外の決済機関或いは銀行に口座を有しないものに対する決済に際して、入金の確認や出荷時の確認等各種場面における安全で適切な決済を可能とする何らかの決済システムが要望されるものである。
【０００９】
更に出品者であるウェブログにおける販売者に関しては、いつ商品を発送するべきか否かが大きな問題であり、購入者がなんら商品代金を支払わない状態での商品発送は、代金回収を困難にする可能性を有するものであり、例えば購入の意思表示と支払い方法の連絡のみを持って、商品発送及び／又は決済者による決済を行ってしまうと、不払いの場合における損害が生ずるものであり、これらの損害を極力なくし、安全で確実なるインターネットのウェブログにおける商品販売の決済システムが望まれるものである。
【課題を解決するための手段】
【００１０】
前記課題を解決するために請求項１に係る発明は、インターネットのウェブログにおける商品販売の決済システムであって、ウェブログ運営者に関するデータを決済者が入手する手段と、ウェブログ運営者の取扱商品に関するデータを決済者が入手する手段と、該取扱商品に関するデータに対して決済者が決済ＵＲＬを発行する手段と、該決済ＵＲＬを用いた商品販売をウェブログ運営者が行うことにより、該ウェブログを訪れた購入者が該決済ＵＲＬを介して決済データを決済者が入手する手段と、購入者による代金の支払い手続きの完了を確認する手段と、購入者による商品の受領を確認する手段とを有し、購入者による支払い手続きの完了と商品の受領を決済者が確認した上でウェブログ運営者に対して商品代金の精算を行う手段を有するインターネットのウェブログにおける商品販売の決済システムを提供するものである。
係る発明により前記課題を見事に解決できるものである。
【００１１】
又、請求項２に係る発明は、購入者による代金の支払い手続きの完了を確認する手段により購入者の支払い手続きを確認した場合に、決済者が商品発送者に対してその旨を連絡する手段を有するインターネットのウェブログにおける商品販売の決済システムであって、係る発明を用いてもよい。
更に、請求項３に係る発明は、決済者の購入者による代金の支払い手続きの完了の連絡する手段により連絡を受けた後に、該商品発送者が購入者に対して商品の発送を行うインターネットのウェブログにおける商品販売の決済システムであり、係る発明を用いても前期課題を解決でき、安全な取引を可能とする。
また、請求項４に係る発明は商品発送者がウェブログ運営者からなる発明であり、ウェブログ運営者が発送するものでもよく、請求項５に係る発明のように、商品発送者がウェブログ運営者を介した該商品のメーカー又は販売者であってもよいものである。
【００１２】
更に、請求項６に係る発明のように、購入者による代金の支払い手続きの完了を確認する手段が、金融機関を介して決済者が確認する手段であるものを用いてもよい。
或いは、請求項７に係る発明のように、購入者による商品の受領を確認する手段が宅配業者による商品の配送の確認により行うものでもよい。
更に、請求項８に係る発明のように、該決済ＵＲＬを介したページには購入者の決済に関する事項が選択特定可能に明示されているものであって、購入者が自己の決済条件の特定が可能であると共に、該ページから決済者に対して購入者の決済データを送信するものを用いてもよい。
これらの場合、請求項９に係る発明のようにウェブログ運営者の取扱商品に関するデータを決済者が入手する手段により入手した取扱商品に関する各種データのうち任意データを決済ＵＲＬを介したページに表示するインターネットのウェブログにおける商品販売の決済システムを用いるものであってもよい。
【発明の効果】
【００１３】
以上のように構成したことから、まず請求項１に係る発明によって、自己のウェブログを用いた商品販売ができるものであり、他のショッピングサイトやオークションサイトを用いずに商品販売を簡単に行えるものである。
従って、該出品代等をかけずともよいものとなる。
特に自らのウェブログを用いての販売できることから、他の競業出品者との間の無用な競争がなくなり、極めて容易な販売が可能となる。
更に最も大きな効果として、商取引の安全を確保できるものとなり、決済者にとってみれば、商品代金を受領し、販売商品の購入者への受領を終えた段階で精算を行えるものとなり、極めて安全で有効な商取引を可能とする。
【００１４】
更に請求項２に係る発明により、購入者の支払い手続きの確認を決済者が商品発送者に連絡するものとなり、商品発送者に対して適切な情報の提供を可能とするものとなる。
これによって、必要な手続きを適切な状況判断のもと商品発送者がとることができる。
更に請求項３に係る発明によれば、商品発送に際して既に商品代金の受領を前提とできるものであることから、支払いを前提としたうえで商品の現実の発送を行えるものとなる。
特に個人的な商取引に際して、取引の安全を確保できるものとなり、商品発送後の未払いや支払い不能などの場合における回収などの必要がなくなる。
【００１５】
請求項４に係る発明によれば、具体的にはウェブログ運営者の商品発送を可能とするものであり、自己の所持する商品等の販売について本システムを用いて販売でき、商品の発送を可能とするものである。
また請求項５に係る発明によれば、商品発送者がウェブログ運営者を介した該商品のメーカー又は販売者が行えるものであり、多用は販売態様に対応できるものとなる。
請求項６に係る発明によれば、金融機関を介して購入者の支払い確認をするものであり、銀行支払等の他カード支払や多様な取引形態に対処できるものとなる。
請求項７に係る発明によれば、具体的に購入者の商品の受領が商品の配送を行う宅配業者によってなされるものであり、確実な配送確認を可能とする。
【００１６】
更に請求項８に係る発明によれば、該決済ＵＲＬを介したページには購入者の決済に関する事項が選択特定可能に明示するものであり、購入者の決済関係のデータを入手できるものとなる。
従って、支払いの確認などを該データをもとに行えるものである。
尚、購入者にとっても自己の最も希望する支払等の内容を特定できるものでもある。
更に請求項９に係る発明によれば、ウェブログ運営者の取扱商品に関するデータを決済者が入手する手段により入手した取扱商品に関する各種データのうち任意データを決済ＵＲＬを介したページに表示できるものとなり、決済者にとって必要であり取得を希望するデータ取得のための必要データを明示できるものであり、購入者にとっても理解のしやすいまた必要データを提供しやすい決済ＵＲＬの使用ができる。
【図面の簡単な説明】
【００１７】
【図１】本発明に係るインターネットのウェブログにおける商品販売の決済システムの関係図の一例を示す図
【図２】本発明に係るインターネットのウェブログにおける商品販売の決済システムの三者間の時系列的な流れを示す図
【図３】本発明に係るインターネットのウェブログにおける商品販売の決済システムの流れの一例を示す図
【発明を実施するための形態】
【００１８】
図１は、本発明に係るインターネットのウェブログにおける商品販売の決済システムの関係図の一例を示す図であり、ウェブログ上でのウェブログ運営者による商品販売に関して、ウェブログ運営者とウェブログ訪問者であって商品の購入者と、決済者の三者より成立するものである。
まず、ウェブログにおける商品販売者は例えば自己のウェブログ運営者であって、そのウェブログ上で商品販売を行う者であり、ウェブログでの簡単な商品販売等を可能とするものである。
さらに該ウェブログをインターネットを介して訪れた者の中からウェブログ上で販売する商品の購入を希望する者はインターネットを介して該ウェブログ上で商品の購入手続きを行うことができる。
【００１９】
この際にウェブログ運営者は予め決済者から該商品販売に関する決済ＵＲＬを入手しておき、該ＵＲＬをウェブログ上に明示しておくものである。
該決済ＵＲＬにより、各種決済が可能となる。
この場合、更に商品の発送、最終決済へと続くものである。
従って本図に示すように本発明に係るインターネットのウェブログ上における決済システムの基本的な構成は本図構成である。
この場合、決済者に関しては、仲介決済者が決済ＵＲＬの発行などを行い、具体的な金融機関などが最終決済を行うものでもよく、この場合にあっても仲介決済者も決済者として変わるものではない。
従って、決済仲介者が決済者として決済ＵＲＬの発行等を行うと共に本システムの決済者としての各種手段等或いはステップを行い、金融機関等における決済を契約などで行うものであっても、該決済者・仲介決済者はいずれも本発明における仲介者に該当する。
【００２０】
図２は、本発明に係るインターネットのウェブログ上における決済システムの三者間の時系列的な流れを示す図である。
まず、ウェブログ運営者は予め決済者に対して自己のデータを示し、これに基づくデータを決済者が格納する。
本データはウェブログ運営者に関する基本的事項であり、決済に必要な事項すべてだけではなく他の事項を含めても、或いは決済に必要な事項の一部のみであってもいずれでもよい。
少なくともウェブログ運営者を特定できるデータであればよい。
次に該格納データに関連付けてＩＤをウェブログ運営者に対して発行する。
ここでは、ＩＤとして示すが、もとより決済者がウェブログ運営者を特定できるものであればよい。
【００２１】
次にウェブログ運営者がウェブログに商品を掲載し販売等する場合には、該販売に関するデータを該ＩＤ等による特定と共に決済者に対して提供する。
決済者は該データを格納する。
さらに決済者は該データに基づいて決済用の決済ＵＲＬを発行する。
該決済ＵＲＬは、決済者による商品の購入者が商品購入に関して必要となる決済手段などが示されている画面を示すものであり、商品の購入者が商品購入に関する支払いなどの決済に必要な事項が明示されているものである。
例えば振り込みや代引き或いは現金郵送、カードでの支払い方法の選別特定等を行えるよう予め必要事項や方法を明示しておき、購入者が必要に応じて選択或いは入力などして決済方法を特定できるものであってもよい。
【００２２】
該決済ＵＲＬは、ウェブログ運営者の商品紹介ページの下部等にリンクを張る形での表示であっても、或いは購入手段として購入手続きを進めるうちに該ＵＲＬに繋がるものであってもよく、いずれを用いても購入手続きの過程で決済ＵＲＬに進めるものであればよい。
該ＵＲＬを介して決済事項に関するページにつながるものであり、購入者は端末を介して該決済内容を特定でき、支払の意思及び内容に関するデータを決済者に対して送信できるものとなる。
従って、購入者は該ＵＲＬを介して支払い方法内容の購入者の選択内容を決済者に対してデータとして送られる。
このデータを受領した決済者は該データを格納し、該データに基づく支払いが行われたか否かを確認する。
【００２３】
この場合、該データ入力に対して、対応ウェブログ運営者を選別し、該ウェブログ運営者に対して購入者が決済者に対して送ったデータに基づく必要データをさらに送るものでもよい。
更に決済者が購入者の入金状況を確認し、これをウェブログ運営者に対して送信するものであってもよい。
例えば、銀行・コンビニエンスストア等を介した現金による支払いの完了やクレジットカード等による代金支払い手続き完了を確認する。
即ち代金の支払い手続きの決済者の確認手段を経ることにより支払いを確実に確認するものである。
例えば他の決済機関即ちクレジットカード会社などからの購入者の代金支払い手続きの完了等の連絡等により支払いの確認を行うものである。
【００２４】
更に、この確認が取れた場合には購入者の支払い手続きの完了連絡をウェブログ運営者に対して行う。
即ち、ウェブログ運営者に対する購入者支払い手続き完了を知らせる手続きを行うものである。
これにより、ウェブログ運営者は安心して購入者に対して商品を発送する。
即ちウェブログ運営者による商品等の発送手続きに進む。
従って、例えば購入者の代金支払いを確認することにより該データを格納した上で、例えば一例として該データと関連してウェブログ運営者及び対象商品に関するデータを導き出し該データに基づいてウェブログ運営者に対して商品断金の支払いが完了した旨の連絡を行うものであってもよい。
【００２５】
この連絡に基づいて商品の発送を行うことにより不払いによる損害をなくすことができる。
更に、この場合ウェブログ運営者本人が発送するものに限らず、メーカーや販売店から直接発想するものであってもよいものである。
従って本明細書上、メーカーや販売店からの発送もウェブログ運営者による商品等の発送に含まれるものである。
更に発送した商品は発送状態を確認することのできる手段を用いて、発送状態を追跡し、発送した商品が購入者に到着したか否かを判別するものである。
即ち商品を購入者が受領したことを確認したうえで、決済者がウェブログ運営者に対して商品代金の精算を行うものである。
【００２６】
この追跡即ち購入者による商品の受領の確認は決済者が行い、その受領確認を持って最終精算である決済即ちウェブログ運営者に対する精算をするものであってもよい。
或いは商品発送者が、追跡を行い、購入者による商品の受領の確認をウェブログ運営者が確認のうえ決済者に対して商品の購入者の受領を連絡し、これに基づいて最終精算である決済即ちウェブログ運営者に対する精算をするものであってもよい。
尚、これらの連絡は格納データを用いて、そこから必要データを抽出することにより必要な対象者に対して必要データを送信し、連絡を行うものであってもよい。
【００２７】
以上の構成をとることから、安全決済を図るために商品の到着即ち購入者の受領の確認が取れない場合には、確認が取れるまで決済を遅延させ、或いは商品代金の精算を遅延させるものとなる。
尚、発送商品の追跡は例えば宅配業者による配送状態の確認をもって行うものでもよいものである。
以上のようなステップをふむことにより、ウェブログ運営者による商品の販売をより安全で極めて確実な決済システムのもと行うことができるものであると共に併せて決済者も単に決済に関する手続きのみ行えばよいものとなり、低額かつ簡素化したシステムによって運営できることとなる。
このことは更にウェブログ運営者に対する課金などもきわめて低額で行えることを意味するものであり、ウェブログの更なる普及に資するものである。
【００２８】
次に、図３はシステムの流れの一例を示す図である。
まずウェブログ運営者に関するデータを決済者が入手する手段を有し、これにより本システムを使用するウェブログ運営者を認識するものである。
例えば前記の通りインターネットを介した入会等に基づくデータの送信が該当するが、この他各種手段を用いたものであってもよく郵送或いは書類の提出などによりウェブログ運営者の内容の特定が該当する。
該ウェブログ運営者に関する事項のデータは決済者が格納し記憶しておくものである。
次にこのデータ入手に対して、決済者は該ウェブログ運営者を特定する手段を行う。
例えばウェブログ運営者に対して本システム運用のためのＩＤの発行である
このＩＤ等の発行はもとより前記データと関連付けられたものであり、該関連付けを含めたデータをさらに決済者は格納し、記憶しておくものである。
該本システム運用のためのＩＤはウェブログ運営者に対して提供するものである。
次にウェブログ運営者による取扱商品のデータを決済者が入手する手段によって入手する。
即ちウェブログ運営者による取扱商品のデータをウェブログ運営者が前記ＩＤなどと関連付けて決済者に提供するものである。
例えばインターネットを介して該データを送るものであってもよい。
この場合取扱商品のデータとしては、該ウェブログ運営者の販売などする具体的商品の内容に関するデータであり、例えば商品名や値段、取扱方法などが該当するものである。
少なくとも決済の対象となる商品が特定でき決済に資する事項であればよい。
【００２９】
このデータは他のすでに格納記憶しているデータと関連付けて格納記憶しておくものである。
更に、該取扱商品のデータを入手した決済者は、該取扱商品に対して決済ＵＲＬを発行する手段によって決済ＵＲＬを発行し、更にウェブログ運営者に提供する。
この決済ＵＲＬは、例えば本取引で使用可能な決済内容や方法等が示されたページ等を表示するものであり、決済者があらかじめ決済のために必要な購入者側に関するデータを受領するために構成されたものである。
これにより購入者の決済内容を入手できることとなる。
この決済ＵＲＬを入手したウェブログ運営者は自己のウェブログの商品販売に際して決済内容として該決済ＵＲＬを明示し、或いは該ＵＲＬに繋がるページを用いるものである。
【００３０】
このように構成することにより、端末を用いてウェブログを訪れ該ページの商品を購入する購入者は該ページで商品の購入をウェブログ運営者に対して伝えることができると共に決済方法として任意の決済方法を該ＵＲＬを介したページから特定できるものである。
従って購入者による決済ＵＲＬを介した決済方法のデータを決済者が入手する手段を有し、該手段によって決済者は決済に関する購入者のデータを入手できる。
例えば、銀行振り込みやコンビニエンスストアにての振込、或いはカード支払等任意の選別が可能である。
この場合本決済ＵＲＬに振込口座などが明示しているものであってもよく、更には必要に応じて本決済ＵＲＬによって、必要な振込用紙を送付などするものであってもよい。
【００３１】
これらにより、購入者の支払いに関する必要なデータを入手できる。
この後、現実的に振り込み手続きなどにより購入者が支払いを完了したか否かを確認する手段に進むものである。
尚、例えば該決済方法等に関する購入者のデータは決済者が該ＵＲＬを介して入手するが、必要に応じてこの時点でウェブログ運営者にも送られるものであってもよい。
購入者に関するデータとして極めて有用にものでもあり、顧客管理などにも使用できるものである。
次に、該支払いに関するデータを入手後、それに応じた購入者による支払いが行われたか否かを確認する購入者による支払の完了を確認する手段に進むものである。
【００３２】
この支払に関しては、例えば決済者に対して現実の支払い手続きがなされたことを確認するもののほか例えば金融機関により支払い手続きを完了したことを確認し、この確認を決済者が入手するものであってもよい。
例えばクレジットカード等での手続きの完了などである。
この場合、例えば決済者が仲介する決済者であって、現実の金銭的な決済をするのが金融機関であっても、該内容は本発明に係る決済システムに含まれるものであり、仲介者を持って或いは仲介者と現実の金融機関を含めていずれもが本発明に係る決済者に該当するものである。
【００３３】
このようにして購入者の支払いを確認した後該支払いに関するデータ等のうち少なくとも支払ったことを示すデータを決済者からウェブログ運営者に対して連絡を行う。
即ち購入者の支払いに関するデータをウェブログ運営者に送る手続きにより、その事実を知らせるものである。
この場合例えばインターネットなどを介して連絡しても或いは他の手段を用いて連絡してもよい。
これによりウェブログ運営者は支払いが完了したことが確認できたものとなり、購入者の要求する商品の発送を行うものである。
例えば宅配や郵便等を用いることによって、購入者に対して商品を提供するものである。
【００３４】
この場合、発送により提供するものの他、自ら届けるものや他の手段によって購入者に提供するものであってもよい。
又、商品として明示するが、例えば具体的な商品として認識されるものの他、他の商取引の対象となるものなどでもよく、例えば権利書や引換券等のような交換や所有を明示するもの或いは名義変更等のための必要なものなどであってもよい。
本発明上これらを含めて商品として特定するものである。
これによってウェブログ運営者は安全に商品の発送ができる。
次に該発送等された商品は、最終的に購入者が受領するものであるが、この受領を確認する手段が次に必要である。
【００３５】
これは商品が的確に購入者に届かなければ売買即ち商取引が完了しないものであり、該受領の確認をする手続きをもって確認し、ウェブログ運営者と購入者間の適切なる取引の完了を待って更に最終的に商品の支払い代金の清算を決済者がウェブログ運営者に対して行うためである。
従って購入者が商品を受領したことを確認する手段によって確認することにより、決済者が代金の精算を行うものである。
以上のように構成すると、適切なる商取引を行うことができ、商品代金不払いや商品未着時には何ら精算されることなく、該中途の段階で止まることとなり、適正に運んだ場合にのみ取引が最終段階まで進むものとなる。
【００３６】
尚、前記した通り、商品の発送はウェブログ運営者によるが、この者の指揮下においてメーカーや販売店にて現実の発送などの手続きを進めるものであってもよい。
もとより両者は同一視できるものである。
この場合、購入者の商品の受領は、例えば配達者が現実の受領を確認して決済者あるいはウェブログ運営者等に連絡を行うものであってもよく、現在多用されている宅配における配達状況の追跡などを用いて受領即ち適切なる受領の確認を行うものであってもよい。
例えば発送時における商品運搬者例えば宅配便などの発送番号等を決済者に対して知らせるものでもよく、或いは受領を商品運搬者からウェブログ運営者等が確認し、これを決済者に連絡するものであってもよい。
【００３７】
もとよりメーカーなどにより発送したものをそのままメーカー等が決済者に対して追跡用の発送商品番号を連絡してもよく、また購入者の受領を確認したことをメーカーなどが確認したうえで決済者に連絡するものでもよい。
次に決済に関しては、決済者がウェブログ運営者等に対して最終決済の精算をするものであるが、例えばメーカーなどに商品代金等の原価分を支払い、ウェブログ運営者等に対して残余分の支払いを行うことによって精算するものであってもよい。
又、決済者が他の金融機関を介して決済する場合には、該決済者の指示に基づいて金融機関から直接精算するものであってももちろん良い。
従って、決済者はもとより最終決済をするものであるが、例えば仲介による決済や決済代行サイト等に関してもいずれも決済者である。
【００３８】
尚、購入者に関するデータのうち、決済者が入手した決済データに関しては、すでに格納記憶しているデータと関連付けを行い、決済者が格納し、記憶しておくものである。
更に決済ＵＲＬを介したページにはさらに決済者がウェブログ運営者から入手した取扱商品のデータを掲載するものであってもよい。
次に必要に応じて決済データの入手を決済者からウェブログ運営者に送るものであってもよい。
以上の通り、本インターネットのウェブログにおける商品販売に際しての決済システムを用いることにより、ウェブログでの商品販売を簡単にかつ低廉で行えるだけではなく、安全にかつ取引の成立を確認した上で決済方法を各種選べる決済システムを採用できるものである。
【００３９】
更には、銀行等のように自ら口座を持ち、該口座を持って取引を行う前提でなくとも決済が可能であり、各種機関により安全かつ低廉な決済を行える決済システムの提供ができるものである。
【図１】
2011028561.tif 000003
【図２】
2011028561.tif 000004
【図３】
2011028561.tif 000005